(57)【要約】【課題】容易に開封することができ、かつ、開封後に内容物を取り出しやすい包装袋を提供する。【解決手段】本発明の包装袋は、前面および背面と、第１の側面および第２の側面と、を有し、第１の開封補助線および第２の開封補助線を有し、第１の開封補助線は、背面の一端のシール部から延び、背面と第１の側面との境界を跨いで、少なくとも一部が前面と第１の側面との境界に沿って形成され、第２の開封補助線は、前面の一端のシール部から延び、少なくとも一部が前面と第２の側面との境界に沿って形成されている。【選択図】図１
2019081603.tif 000002
【特許請求の範囲】
【請求項１】
互いに対向する前面および背面と、前記前面と前記背面との間に形成されて互いに対向する第１の側面および第２の側面と、
前記前面と前記背面とがシールされることにより互いに対向する両端のそれぞれに沿って形成されたシール部と、前記両端の一端から他端まで延びるように前記背面に形成された背シール部と、
を有する包装袋であって、
前記一端のシール部から切り裂いたときに前記前面に開封口を形成するように裂け目を誘導する、前記一端から前記他端へ向けて延びる第１の開封補助線および第２の開封補助線を有し、
前記第１の開封補助線は、前記背面の前記一端のシール部から延び、前記背面と前記第１の側面との境界を跨いで、少なくとも一部が前記前面と第１の側面との境界に沿って形成され、
前記第２の開封補助線は、前記前面の前記一端のシール部から延び、少なくとも一部が前記前面と第２の側面との境界に沿って形成されている、包装袋。
【請求項２】
前記第１の開封補助線は、前記背面の前記一端のシール部において前記背シール部と前記第１の側面との間にある第１の端点から前記他端に向けて延びる第１の上端側線部と、前記前面と前記第１の側面との境界に沿って前記他端のシール部まで延びる第１の下端側線部と、前記第１の上端側線部の前記他端側の端部と前記第１の下端側線部の前記一端側の端部とを連結するとともに前記背面と前記第１の側面との境界を跨ぐ第１の傾斜線部と、を有し、
前記第２の開封補助線は、前記前面において前記第１の端点に対応する位置にある第２の端点から前記他端に向けて延びる第２の上端側線部と、前記前面と前記第２の側面との境界に沿って前記他端のシール部まで延びる第２の下端側線部と、前記第２の上端側線部の前記他端側の端部と前記第２の下端側線部の前記一端側の端部とを連結する第２の傾斜線部と、を有する、請求項１に記載の包装袋。
【請求項３】
前記第１の下端側線部と前記第２の下端側線部とが互いに平行な方向に延びている、請求項２に記載の包装袋。
【請求項４】
前記第１の下端側線部が前記前面と前記第１の側面との境界に沿って前記前面側に形成されている、請求項２または３に記載の包装袋。
【請求項５】
前記第２の下端側線部が前記前面と前記第２の側面との境界に沿って前記前面側に形成されている、請求項２から４のいずれかに記載の包装袋。
【請求項６】
前記一端のシール部および前記他端のシール部のうち前記一端のシール部のみに開封用切り欠きが設けられている、請求項１から５のいずれかに記載の包装袋。
【発明の詳細な説明】
【技術分野】
【０００１】
本発明は、包装袋に関する。特に、医薬品および菓子等を包装したＰＴＰ（プレススルーパッケージ）包装シートを収容する包装袋に関する。
【背景技術】
【０００２】
フィルムにより構成される包装袋として、様々なタイプの包装袋が知られている。中でも、ガゼット形式の包装袋は、コンパクトに、かつ、効率良く梱包できることから、様々な分野で用いられている。ガゼット形式の包装袋は、端部に設けられた切り欠きを起点に切り裂くことで側面部分を開封するものが一般的であるが、近年、背面または前面を開封することができ、内容物を取り出しやすい包装袋が知られている（特許文献１および２）。
【０００３】
しかしながら、上記のような背面または前面が開封されるガゼット形式の包装袋は、容易に開封できない場合がある。
【先行技術文献】
【特許文献】
【０００４】
【特許文献１】特開２００８−１０５７１９号公報
【特許文献２】特開２０１４−２３４２３６号公報
【発明の概要】
【発明が解決しようとする課題】
【０００５】
本発明は上記従来の課題を解決するためになされたものであり、その主たる目的は、容易に開封することができ、かつ、開封後に内容物を取り出しやすい包装袋を提供することにある。また、本発明のさらなる目的は、開封時に内容物が飛び出すことが防止された包装袋を提供することにある。
【課題を解決するための手段】
【０００６】
本発明の包装袋は、互いに対向する前面および背面と、上記前面と上記背面との間に形成されて互いに対向する第１の側面および第２の側面と、上記前面と上記背面とがシールされることにより互いに対向する両端のそれぞれに沿って形成されたシール部と、上記両端の一端から他端まで延びるように上記背面に形成された背シール部と、を有する包装袋であって、上記一端のシール部から切り裂いたときに上記前面に開封口を形成するように裂け目を誘導する、上記一端から上記他端へ向けて延びる第１の開封補助線および第２の開封補助線を有し、上記第１の開封補助線は、上記背面の上記一端のシール部から延び、上記背面と上記第１の側面との境界を跨いで、少なくとも一部が上記前面と第１の側面との境界に沿って形成され、上記第２の開封補助線は、上記前面の上記一端のシール部から延び、少なくとも一部が上記前面と第２の側面との境界に沿って形成されている。
１つの実施形態においては、上記第１の開封補助線は、上記背面の上記一端のシール部において上記背シール部と上記第１の側面との間にある第１の端点から上記他端に向けて延びる第１の上端側線部と、上記前面と上記第１の側面との境界に沿って上記他端のシール部まで延びる第１の下端側線部と、上記第１の上端側線部の上記他端側の端部と上記第１の下端側線部の上記一端側の端部とを連結するとともに上記背面と上記第１の側面との境界を跨ぐ第１の傾斜線部と、を有し、上記第２の開封補助線は、上記前面において上記第１の端点に対応する位置にある第２の端点から上記他端に向けて延びる第２の上端側線部と、上記前面と上記第２の側面との境界に沿って上記他端のシール部まで延びる第２の下端側線部と、上記第２の上端側線部の上記他端側の端部と上記第２の下端側線部の上記一端側の端部とを連結する第２の傾斜線部と、を有する。
１つの実施形態においては、上記第１の下端側線部と上記第２の下端側線部とが互いに平行な方向に延びている。
１つの実施形態においては、上記第１の下端側線部が上記前面と上記第１の側面との境界に沿って上記前面側に形成されている。
１つの実施形態においては、上記第２の下端側線部が上記前面と上記第２の側面との境界に沿って上記前面側に形成されている。
１つの実施形態においては、上記一端のシール部および上記他端のシール部のうち上記一端のシール部のみに開封用切り欠きが設けられている。
【発明の効果】
【０００７】
本発明によれば、容易に開封することができ、かつ、開封後に内容物を取り出しやすい包装袋が提供され得る。
【図面の簡単な説明】
【０００８】
【図１】本発明の１つの実施形態による包装袋を前面側から見たときの概略斜視図である。
【図２】本発明の１つの実施形態による包装袋を背面側から見たときの概略平面図である。
【図３】本発明の１つの実施形態による包装袋を第１の側面側から見たときの概略側面図である。
【図４】本発明の１つの実施形態による包装袋の開封後の状態を前面側から見たときの概略斜視図である。
【発明を実施するための形態】
【０００９】
以下、本発明の実施形態について、図１〜図４に基づいて詳細に説明する。
【００１０】
図１は本発明の１つの実施形態による包装袋１００を前面２０側から見たときの概略斜視図であり、図２は本発明の１つの実施形態による包装袋１００を背面２１側から見たときの概略斜視図であり、図３は本発明の１つの実施形態による包装袋１００を第１の側面２２側から見たときの概略側面図である。包装袋１００は、互いに対向する前面２０および背面２１と、前面２０と背面２１との間に形成されて互いに対向する第１の側面２２および第２の側面２３と、を有する。包装袋１００は、いわゆるガゼット方式の包装袋である。以下では、説明のため、前面２０と第１の側面２２との境目を境界２２ａとし、背面２１と第１の側面２２との境目を境界２２ｂとし、前面２０と第２の側面２３との境目を境界２３ａとし、背面２１と第２の側面２３との境目を境界２３ｂとする。
【００１１】
包装袋１００は、前面２０と背面２１とがシールされることにより形成された第１のシール部１１および第２のシール部１２と、背面に形成された背シール部１３（背貼り）と、を有する。第１のシール部１１は、互いに対向する両端のうちの一端１１ａに沿って形成されており、第２のシール部１２は、他端１２ａに沿って形成されている。背シール部１３は、一端１１ａから他端１２ａまで延びるように背面２１に形成されている。代表的には、背シール部１３は背面２１の中央近傍に形成され、背面２１に接するように（背面２１と略平行になるように）、第２の側面２３に向けて折り込まれている。
【００１２】
包装袋１００は、一端１１ａから他端１２ａへ向けて延びる第１の開封補助線３０および第２の開封補助線４０を有する。第１の開封補助線３０および第２の開封補助線４０は、包装袋１００を第１のシール部１１から切り裂いたときに前面２０に開封口を形成するように裂け目を誘導する。代表的には、第１の開封補助線３０および第２の開封補助線４０は、その形状に沿って裂け目を進行させ得る。第１の開封補助線３０は、背面２１の第１のシール部１１から延び、境界２２ｂを跨いで、少なくとも一部が境界２２ａに沿って形成されている。第２の開封補助線４０は、前面２０の第１のシール部１１から延び、少なくとも一部が境界２３ａに沿って形成されている。
【００１３】
第１の開封補助線３０および第２の開封補助線４０は、互いに平行な方向に延びる任意の適切な本数の開封補助線により構成され得る。好ましくは、第１の開封補助線３０および第２の開封補助線４０は、それぞれ複数本の開封補助線により構成される。この場合、隣接する開封補助線同士の間隔は特に限定されず、包装袋１００の大きさに応じて適切に設定することができる。図示例では、第１の開封補助線３０および第２の開封補助線４０は、それぞれ、互いに平行な方向に延びる３本の開封補助線により構成される。図中では、説明のため、第１の開封補助線３０を構成する開封補助線として、前面２０において第１の側面２２側から順に、開封補助線３０ａ、開封補助線３０ｂ、開封補助線３０ｃとして図示し、開封補助線４０を構成する開封補助線として、第２の側面２３側から順に、開封補助線４０ａ、開封補助線４０ｂ、開封補助線４０ｃとして図示する。図示例のように第１の開封補助線３０（第２の開封補助線４０）が３本の開封補助線により構成されていることにより、例えば、開封時に開封補助線３０ｃ（開封補助線４０ｃ）に沿って進行していた裂け目が、内容物の干渉等によって脱線した場合であっても、他の開封補助線３０ｂ（開封補助線４０ｂ）および開封補助線３０ａ（開封補助線４０ａ）により誘導し直すことができる。
【００１４】
第１の開封補助線３０は、代表的には、第１の上端側線部３１と、第１の傾斜線部３２と、第１の下端側線部３３と、を含む。第１の上端側線部３１は、背面２１の第１のシール部１１において背シール部１３と第１の側面２２との間にある第１の端点３０ｄから、他端１２ａに向けて延びる部分である。第１の下端側線部３３は、境界２２ａに沿って第２のシール部１２まで延びる部分である。第１の傾斜線部３２は、第１の上端側線部３１の他端１２ａ側の端部と第１の下端側線部３３の一端１１ａ側の端部とを連結するとともに境界２２ｂを跨ぐ部分である。第２の開封補助線４０は、代表的には、第２の上端側線部４１と、第２の傾斜線部４２と、第２の下端側線部４３と、を含む。第２の上端側線部４１は、前面２０において第１の端点３０ｄに対応する位置（代表的には、第１の端点３０ｄの反対側）にある第２の端点４０ｄから、他端１２ａに向けて延びる部分である。第２の下端側線部４３は、境界２３ａに沿って第２のシール部１２まで延びる部分である。第２の傾斜線部４２は、第２の上端側線部４１の他端１２ａ側の端部と第２の下端側線部４３の一端１１ａ側の端部とを連結する部分である。代表的には、第１の下端側線部３３と第２の下端側線部４３とは互いに平行な方向に延びている。第１の上端側線部３１、第１の傾斜線部３２、第１の下端側線部３３、第２の上端側線部４１、第２の傾斜線部４２、および第２の下端側線部４３の長さは、包装袋１００の大きさおよび用途に応じて任意の適切な長さに設定され得る。図１〜３には、一例として、第１の開封補助線３０および第２の開封補助線４０が直線である場合を図示しているが、第１の開封補助線３０および第２の開封補助線４０の形状は直線形状に限定されない。第１の上端側線部３１、第１の傾斜線部３２、第１の下端側線部３３、第２の上端側線部４１、第２の傾斜線部４２、および第２の下端側線部４３の少なくともいずれかの形状は、破線、点線、波線等の他の形状であってもよい。
【００１５】
図４は本発明の１つの実施形態による包装袋１００の開封後の状態を前面２０側から見たときの概略斜視図である。包装袋１００は、第１のシール部１１の第１の端点３０ｄおよび第２の端点４０ｄから切り裂くことにより、第１の開封補助線３０および第２の開封補助線４０によって裂け目が誘導され、前面２０の一部が取り去られ、その結果、図４に示すように前面２０に開封口５０が形成され得る。これにより、開封口５０から内容物６０を取り出すことができる。
【００１６】
上述した特許文献１および２の包装袋は、背面または前面を開封することができるものであるが、いずれも、容易に開封できない場合がある。具体的には、特許文献１の包装袋は、背貼り部（背シール部）を間に挟んで２本の切目線を有しており、背貼り部に設けられたノッチを起点として背貼り部を引き裂くことにより背面の一部が開口されるというものであるが、背面に接するように折り込まれている背貼り部を掴むという煩わしい手順を要する。また、特許文献２の包装袋は、前面側フィルムと背面側フィルムとがシールされた端部において、前面側フィルムのみに設けられた２本の切り込みを起点として前面側フィルムを引き裂くことにより、前面の一部が開口されるというものであるが、端部において背面側フィルムと前面側フィルムとが重なった状態から前面側フィルムのみを掴むという煩わしい手順を要する。これに対して、包装袋１００は、一端１１ａ（第１のシール部１１）から切り裂くという、容易かつ一般的な開封手順によって前面２０に開封口５０が形成され得、内容物６０を取り出しやすい。
【００１７】
図４に示すように、開封後の包装袋１００には、第２の傾斜線部４２に沿って形成された切り口と第１のシール部１１との間に、前面２０の一部が取り去られずに残る。これにより、開封時の勢いで内容物６０が包装袋１００から飛び出すことが防止され得る。
【００１８】
第１の下端側線部３３は、境界２２ａに沿って境界２２ａの近傍に形成されていればよく、前面２０側に形成されていてもよいし、第１の側面２２側に形成されていてもよい。第２の下端側線部４３は、境界２３ａに沿って境界２３ａの近傍に形成されていればよく、前面２０側に形成されていてもよいし、第２の側面２３側に形成されていてもよい。境界２２ａと第１の下端側線部３３との間の距離、および、境界２３ａと第２の下端側線部４３との間の距離は、例えば、前面２０の幅（対向する側面同士の間隔）の１／５０〜１／５であり得、望ましくは前面２０の幅の１／５０〜１／２０である。１つの実施形態においては、図１に示すように、第１の下端側線部３３が境界２２ａに沿って前面２０側に形成されおり、第２の下端側線部４３が境界２３ａに沿って前面２０側に形成されている。すなわち、第１の下端側線部３３が前面２０における境界２２ａの近傍に形成されており、第２の下端側線部４３が前面２０における境界２３ａの近傍に形成されている。これにより、開封後の包装袋１００は、境界２２ａおよび境界２３ａに沿って前面２０の一部が取り去られずに残り、開封時の勢いで内容物６０が包装袋１００から飛び出すことが防止され得る。
【００１９】
好ましくは、第１のシール部１１および第２のシール部１２のうち、第１のシール部１１のみに開封用切り欠きが設けられる。これにより、誤って第２のシール部１２から切り裂かれることが防止され得る。１つの実施形態においては、開封用切り欠きは、第１のシール部１１の端部に形成されたギザ歯形状または波型形状である。別の実施形態においては、開封用切り欠きは、第１のシール部１１の第１の端点３０ｄおよび第２の端点４０ｄに形成された、Ｖの字やIの字などの任意の適切な形状の切り込みである。
【００２０】
図示例の包装袋１００は、代表的には、１枚のフィルムを袋状に折り込み、フィルムを重ねた状態で端部をシールすることにより得られ得る。具体的には、方形状のフィルムの一組の辺を重ねてシールすることで背シール部１３とし、フィルムの上記一組の辺に直交する２辺のうち一方の辺をシールすることで第１のシール部１１とし、他方の辺をシールすることで第２のシール部１２とすることにより、包装袋１００が得られ得る。
【００２１】
上記フィルムは、代表的には、フィルムの最外層となる基材フィルムと、用途に応じて基材フィルム上に積層された機能層とを有する。基材フィルムとしては、ポリエステル系、ポリアミド系、ポリプロピレン系、ポリカーボネート系、セロファン等の樹脂フィルムを用いることができる。好ましくは、これらの樹脂フィルムを二軸延伸した延伸フィルムが用いられる。
【００２２】
機能層としては、例えば、バリア層および融着層が挙げられる。バリア層は、例えば、アルミニウム、酸化珪素、酸化アルミニウム、酸化インジウム、酸化錫、および酸化ジルコニウム等の無機物を基材フィルム上に蒸着すること、または、アルミニウム等の金属箔を基材フィルムに貼り合わせることにより形成され得る。包装袋を構成するフィルムとして、上記バリア層を有するフィルムを用いることにより、ガスバリア性、水蒸気バリア性、機械的強度、耐屈曲性、耐突き刺し性、耐衝撃性、耐磨耗性、耐寒性、耐熱性、耐薬品性、および遮光性等を向上させ、内容物の劣化を防止し得る。融着層は、例えば、高圧法低密度ポリエチレン、直鎖状低密度ポリエチレン、中密度ポリエチレン、高密度ポリエチレン、ポリプロピレン、エチレン−プロピレン共重合体、エチレン−酢酸ビニル共重合体、アイオノマー樹脂、エチレン−アクリル酸共重合体、エチレン−アクリル酸エステル共重合体、エチレン−メタクリル酸共重合体（ＥＭＭＡ）、エチレン−ビニルアルコール共重合体（ＥＶＯＨ）、ポリアクリロニトリル（ＰＡＮ）、ポリエチレンテレフタレート（ＰＥＴ）に代表されるポリエステル等の樹脂材料を塗布すること、または、これらの樹脂材料からなる樹脂フィルムを接着して積層することにより形成され得る。このような融着層を最内層として備えることにより、ヒートシールによりフィルムの端部をシールすることができる。
【００２３】
第１の開封補助線３０および第２の開封補助線４０は、フィルムの他の部分よりも厚みが薄い部分であり得る。このような開封補助線は、代表的には、レーザー照射（例えば、炭酸ガスレーザー照射）によりフィルムをハーフカットすることにより形成される。
【産業上の利用可能性】
【００２４】
本発明の包装袋は、医薬品および菓子等を包装したＰＴＰ包装シートを収容する包装袋として好適に用いられる。
【符号の説明】
【００２５】
１１      第１のシール部
１２      第２のシール部
１３      背シール部
２０      前面
２１      背面
２２      第１の側面
２３      第２の側面
３０      第１の開封補助線
３１      第１の上端側線部
３２      第１の傾斜線部
３３      第１の下端側線部
４０      第２の開封補助線
４１      第２の上端側線部
４２      第２の傾斜線部
４３      第２の下端側線部
１００    包装袋
【図１】
2019081603.tif 000003
【図２】
2019081603.tif 000004
【図３】
2019081603.tif 000005
【図４】
2019081603.tif 000006